(57)【特許請求の範囲】
【請求項１】
色素系の光学的情報記録媒体における推奨記録パワーを表示する方法において、次式によって推奨記録パワー：
Ｐｏ（λ）＝Ｐｏ（λｃ）＊（λ／λｃ）＾γp
ここに、
Ｐｏ（λ）：波長λにおける推奨記録パワーで、波長λに依存し
た値を表す
λ：記録ピックアップヘッドの記録レーザ光波長を表し、λｃに
対して５ｎｍないし５０ｎｍの所定の範囲で定義される
λｃ：前記波長λの範囲の一つの光波長を表す
Ｐｏ（λｃ）：前記波長λｃにおける推奨記録パワー値を表す
＾：“＾”はべき乗演算を表す
γp：推奨記録パワーＰｏの波長依存性を表す
が求められるように、推奨記録パワーを表すパラメータとして、少なくとも、λｃ，Ｐｏ（λｃ），γpの値を備えたことを特徴とする光学的情報記録媒体における推奨記録パワー表示方法。
【請求項２】
色素系の光学的情報記録媒体において、次式によって推奨記録パワー：
Ｐｏ（λ）＝Ｐｏ（λｃ）＊（λ／λｃ）＾γp
ここに、
Ｐｏ（λ）：波長λにおける推奨記録パワーで、波長λに依存し
た値を表す
λ：記録ピックアップヘッドの記録レーザ光波長を表し、λｃに
対して５ｎｍないし５０ｎｍの所定の範囲で定義される
λｃ：前記波長λの範囲の一つの光波長を表す
Ｐｏ（λｃ）：前記波長λｃにおける推奨記録パワー値を表す
＾：“＾”はべき乗演算を表す
γp：推奨記録パワーＰｏの波長依存性を表す
が求められるように、推奨記録パワーを表すパラメータとして、少なくとも、λｃ，Ｐｏ（λｃ），γp値が光学的情報記録媒体の一部に記録されていることを特徴とする光学的情報記録媒体。
【請求項３】
請求項２の光学的情報記録媒体より、推奨記録パワーを表すパラメータとして、少なくとも、λｃ，Ｐｏ（λｃ），γpの値を読み取り、その情報に基づいて、記録パワーの設定を行うことを特徴とする光学的情報記録方法。
【請求項４】
請求項２の光学的情報記録媒体より、推奨記録パワーを表すパラメータとして、少なくとも、λｃ，Ｐｏ（λｃ），γpの値を読み取り、その情報に基づいて、記録パワーの設定を行うことを特徴とする光学的情報記録装置。
【請求項５】
推奨記録パワーＰｏの波長λ依存性を表すパラメータγpの値を、Ｐｏ(λ1）とＰｏ(λ2）が、λ1とλ2にそれぞれ対応するとき、
γp ＝［｛Ｐｏ(λ2）−Ｐｏ(λ1）｝／｛Ｐｏ(λ2）＋Ｐｏ(λ1）｝＊２］
／｛（λ2−λ1）／（λ2＋λ1）＊２｝，
として求めることを特徴とする請求項１記載の光学的情報記録媒体における推奨記録パワー表示方法。
【請求項６】
推奨記録パワーＰｏの波長λ依存性を表すパラメータγpの値を、Ｐｏ(λ1）とＰｏ(λ2）が、λ1とλ2にそれぞれ対応するとき、
γp ＝［｛Ｐｏ(λ2）−Ｐｏ(λ1）｝／｛Ｐｏ(λ2）＋Ｐｏ(λ1）｝＊２］
／｛（λ2−λ1）／（λ2＋λ1）＊２｝，
として求めることを特徴とする請求項２記載の光学的情報記録媒体。
【請求項７】
請求項６の光学的情報記録媒体より、推奨記録パワーを表すパラメータとして、少なくとも、λｃ，Ｐｏ（λｃ），γpの値を読み取り、その情報に基づいて、記録パワーの設定を行うことを特徴とする光学的情報記録方法。
【請求項８】
請求項６の光学的情報記録媒体より、推奨記録パワーを表すパラメータとして、少なくとも、λｃ，Ｐｏ（λｃ），γpの値を読み取り、その情報に基づいて、記録パワーの設定を行うことを特徴とする光学的情報記録装置。
【請求項９】
推奨記録パワーＰｏの波長λ依存性を表すパラメータγpの値を、光学的情報記録媒体の光吸収率Ａｂｓ（λ1）とＡｂｓ（λ2）が、λ1とλ2にそれぞれ対応して既知のとき、次の式
γp＝［｛Ａｂｓ(λ1）−Ａｂｓ(λ2）｝／｛Ａｂｓ(λ1）＋Ａｂｓ(λ2）｝＊２］
／｛（λ2−λ1）／（λ2＋λ1）＊２｝
として求めることを特徴とする請求項１記載の光学的情報記録媒体における推奨記録パワー表示方法。
【請求項１０】
推奨記録パワーＰｏの波長λ依存性を表すパラメータγpの値を、
光学的情報記録媒体の光吸収率Ａｂｓ（λ1）とＡｂｓ（λ2）が、λ1とλ2にそれぞれ対応して既知のとき、次の式
γp＝［｛Ａｂｓ(λ1）−Ａｂｓ(λ2）｝／｛Ａｂｓ(λ1）＋Ａｂｓ(λ2）｝＊２］
／｛（λ2−λ1）／（λ2＋λ1）＊２｝
として求めることを特徴とする請求項２記載の光学的情報記録媒体。
【請求項１１】
請求項１０の光学的情報記録媒体より、推奨記録パワーを表すパラメータとして、少なくとも、λｃ，Ｐｏ（λｃ），γpの値を読み取り、その情報に基づいて、記録パワーの設定を行うことを特徴とする光学的情報記録方法。
【請求項１２】
請求項１０の光学的情報記録媒体より、推奨記録パワーを表すパラメータとして、少なくとも、λｃ，Ｐｏ（λｃ），γpの値を読み取り、その情報に基づいて、記録パワーの設定を行うことを特徴とする光学的情報記録装置。
【発明の詳細な説明】
【０００１】
【発明の属する技術分野】
本発明は、光ディスクなどの光学的情報記録媒体における推奨記録パワー表示方法，推奨記録パワーを記録した光学的情報記録媒体，推奨記録パワーを記録した光学的情報記録媒体に光学的情報を記録する方法および光学的情報記録装置に関するものである。
【０００２】
【従来の技術】
従来、この種の技術としては、例えば、特開平９−１３８９４６号公報に示されるように、光ディスク媒体の一部に推奨記録パワーに関する情報を記録しておき、この情報を光ディスクドライブで読み取り、この情報をもとに、推奨記録パワーを設定したり、推奨記録パワーを目安にして更に最適の記録パワーを校正して求める方法が知られている。
【０００３】
【発明が解決しようとする課題】
ところが、ＣＤ−Ｒ（Recordable Compact Disc）あるいはＤＶＤ−Ｒ（Recordable DVD Disc）に使われている色素系のディスクは、波長が数ｎｍ変化しただけで、最適記録パワーが大きくずれてしまい、所謂、最適記録パワーの波長依存性が大きい。そのために、記録波長が少し変わっただけで、実際の最適記録パワーを光ディスクに記録してある推奨記録パワーだけからでは、正確に設定することができないという問題があった。また、最適記録パワーの波長依存性を反映しようとすると、波長毎に最適記録パワーを表示する必要があり、多くのパラメータを備えなければならず、実用的ではなかった。
【０００４】
本発明は、上述のごとき従来技術の欠点を改善し、少ないパラメータで推奨記録パワーの記録光波長依存性を効率的に表し、この少ないパラメータを有効に利用し、記録光波長の多少の変化に対して実用十分なレベルで記録パワーを校正できる光学的情報記録媒体および記録方法及び記録装置を提供することを目的とする。
【０００５】
【課題を解決するための手段】
請求項１の発明は、色素系の光学的情報記録媒体における推奨記録パワーを表示する方法において、次式によって推奨記録パワー：
Ｐｏ（λ）＝Ｐｏ（λｃ）＊（λ／λｃ）＾γp
ここに、
Ｐｏ（λ）：波長λにおける推奨記録パワーで、波長λに依存し
た値を表す
λ：記録ピックアップヘッドの記録レーザ光波長を表し、λｃに
対して５ｎｍないし５０ｎｍの所定の範囲で定義される
λｃ：前記波長λの範囲の一つの光波長を表す
Ｐｏ（λｃ）：前記波長λｃにおける推奨記録パワー値を表す
＾：“＾”はべき乗演算を表す
γp：推奨記録パワーＰｏの波長依存性を表す
が求められるように、推奨記録パワーを表すパラメータとして、少なくとも、λｃ，Ｐｏ（λｃ），γpの値を備えたことを特徴としたものである。
【０００６】
請求項２の発明は、色素系の光学的情報記録媒体において、次式によって推奨記録パワー：
Ｐｏ（λ）＝Ｐｏ（λｃ）＊（λ／λｃ）＾γp
ここに、
Ｐｏ（λ）：波長λにおける推奨記録パワーで、波長λに依存し
た値を表す
λ：記録ピックアップヘッドの記録レーザ光波長を表し、λｃに
対して５ｎｍないし５０ｎｍの所定の範囲で定義される
λｃ：前記波長λの範囲の一つの光波長を表す
Ｐｏ（λｃ）：前記波長λｃにおける推奨記録パワー値を表す
＾：“＾”はべき乗演算を表す
γp：推奨記録パワーＰｏの波長依存性を表す
が求められるように、推奨記録パワーを表すパラメータとして、少なくとも、λｃ，Ｐｏ（λｃ），γp値が光学的情報記録媒体の一部に記録されていることを特徴としたものである。
【０００７】
請求項３の発明は、請求項２の光学的情報記録媒体より、推奨記録パワーを表すパラメータとして、少なくとも、λｃ，Ｐｏ（λｃ），γpの値を読み取り、その情報に基づいて、記録パワーの設定を行う光学的情報記録方法を特徴としたものである。
【０００８】
請求項４の発明は、請求項２の光学的情報記録媒体より、推奨記録パワーを表すパラメータとして、少なくとも、λｃ，Ｐｏ（λｃ），γpの値を読み取り、その情報に基づいて、記録パワーの設定を行う光学的情報記録装置を提供するものである。
請求項５の発明は、請求項１記載の光学的情報記録媒体において、推奨記録パワーＰｏの波長λ依存性を表すパラメータγpの値を、Ｐｏ(λ1）とＰｏ(λ2）が、λ1とλ2にそれぞれ対応するとき、
γp ＝［｛Ｐｏ(λ2）−Ｐｏ(λ1）｝／｛Ｐｏ(λ2）＋Ｐｏ(λ1）｝＊２］
／｛（λ2−λ1）／（λ2＋λ1）＊２｝，
として求める推奨パワー表示方法を特徴としたものである。
請求項６の発明は、請求項２記載の光学的情報記録媒体において、推奨記録パワーＰｏの波長λ依存性を表すパラメータγpの値を、Ｐｏ(λ1）とＰｏ(λ2）が、λ1とλ2にそれぞれ対応するとき、
γp ＝［｛Ｐｏ(λ2）−Ｐｏ(λ1）｝／｛Ｐｏ(λ2）＋Ｐｏ(λ1）｝＊２］
／｛（λ2−λ1）／（λ2＋λ1）＊２｝，
として求めることを特徴としたものである。
請求項７の発明は、請求項６の光学的情報記録媒体より、推奨記録パワーを表すパラメータとして、少なくとも、λｃ，Ｐｏ（λｃ），γpの値を読み取り、その情報に基づいて、記録パワーの設定を行うことを特徴としたものである。
請求項８の発明は、請求項６の光学的情報記録媒体より、推奨記録パワーを表すパラメータとして、少なくとも、λｃ，Ｐｏ（λｃ），γpの値を読み取り、その情報に基づいて、記録パワーの設定を行うことを特徴としたものである。
請求項９の発明は、請求項１記載の光学的情報記録媒体において、推奨記録パワーＰｏの波長λ依存性を表すパラメータγpの値を、光学的情報記録媒体の光吸収率Ａｂｓ（λ1）とＡｂｓ（λ2）が、λ1とλ2にそれぞれ対応して既知のとき、次の式
γp＝［｛Ａｂｓ(λ1）−Ａｂｓ(λ2）｝／｛Ａｂｓ(λ1）＋Ａｂｓ(λ2）｝＊２］
／｛（λ2−λ1）／（λ2＋λ1）＊２｝
として求める推奨記録パワー表示方法を特徴としたものである。
請求項１０の発明は、請求項２記載の光学的情報記録媒体において、推奨記録パワーＰｏの波長λ依存性を表すパラメータγpの値を、光学的情報記録媒体の光吸収率Ａｂｓ（λ1）とＡｂｓ（λ2）が、λ1とλ2にそれぞれ対応して既知のとき、次の式
γp＝［｛Ａｂｓ(λ1）−Ａｂｓ(λ2）｝／｛Ａｂｓ(λ1）＋Ａｂｓ(λ2）｝＊２］
／｛（λ2−λ1）／（λ2＋λ1）＊２｝
として求めることを特徴としたものである。
請求項１１の発明は、請求項１０の光学的情報記録媒体より、推奨記録パワーを表すパラメータとして、少なくとも、λｃ，Ｐｏ（λｃ），γpの値を読み取り、その情報に基づいて、記録パワーの設定を行うことを特徴としたものである。
請求項１２の発明は、請求項１０の光学的情報記録媒体より、推奨記録パワーを表すパラメータとして、少なくとも、λｃ，Ｐｏ（λｃ），γpの値を読み取り、その情報に基づいて、記録パワーの設定を行うことを特徴としたものである。
【０００９】
【発明の実施の形態】
（請求項１の発明）
請求項１の発明は、光学的情報記録媒体における推奨記録パワーを表示する方法において、推奨記録パワーが次式：
Ｐｏ（λ）＝Ｐｏ（λｃ）＊（λ／λｃ）＾γp
ここに、
Ｐｏ（λ）：波長λにおける推奨記録パワーで波長λに依存した値を表す
λ：記録ピックアップヘッド（ＰＵＨ）の記録レーザ光波長を表し、５ｎｍないし５０ｎｍの所定の範囲で定義される
λｃ：前記波長λの範囲の一つの光波長を表す
Ｐｏ（λｃ）：前記波長λｃにおける推奨記録パワー値を表す
＾：“＾”はべき乗演算を表す
γp：推奨記録パワーＰｏの波長依存性を表す
によって求められるように、推奨記録パワーを表すパラメータとして、少なくとも、λｃ，Ｐｏ（λｃ），γpの値を備えたことを特徴とする光学的情報記録媒体における推奨記録パワー表示方法である。
【００１０】
上記Ｐｏ(λ）の式は、明らかに、波長依存性のパラメータを１つしか含んでおらず、λの値は、通常可視光であるから８３０ｎｍないし４００ｎｍの値であり、更に、Ｐｏ(λ）が定義される波長の範囲は、５ｎｍないし５０ｎｍであるため、極めて少ない数のパラメータで効率よく波長依存性を表すことができ、記録推奨値が波長依存性を持っていても、各波長毎にＰｏの値の表示をしておく必要がなく、λｃ，Ｐｏ（λｃ），γpの３つの値でカバーできるので表示の効率がよい。
【００１１】
（請求項２の発明）
請求項２の発明は、光学的情報記録媒体において、次式によって推奨記録パワー：
Ｐｏ（λ）＝Ｐｏ（λｃ）＊（λ／λｃ）＾γp
ここに、
Ｐｏ（λ）：波長λにおける推奨記録パワーで波長λに依存した値を表す
λ：記録ピックアップヘッド（ＰＵＨ）の記録レーザ光波長を表し、５ｎｍないし５０ｎｍの所定の範囲で定義される
λｃ：前記波長λの範囲の一つの光波長を表す
Ｐｏ（λｃ）：前記波長λｃにおける推奨記録パワー値を表す
＾：“＾”はべき乗演算を表す
γp：推奨記録パワーＰｏの波長依存性を表す
が求められるように、推奨記録パワーを表すパラメータとして、少なくとも、λｃ，Ｐｏ（λｃ），γp値が光学的情報記録媒体の一部に記録されていることを特徴とする光学的情報記録媒体である。
【００１２】
波長依存性を含んだ推奨記録パワーを表すパラメータが効率的に光学的情報記録媒体に記録されているので、これらのパラメータを記録するために記録媒体の情報を余分に消費することなく、また、これらのパラメータは、光学的情報記録再生装置で読み取ることができるので、光学的情報記録再生装置のレーザ光源の波長が多少λｃの値と異なっていても、読み取った情報を基に正確な記録パワーの設定が可能になる。
【００１３】
（請求項３の発明）
請求項３の発明は、請求項２の光学的情報記録媒体より、推奨記録パワーを表すパラメータとして、少なくとも、λｃ，Ｐｏ（λｃ），γpの値を読み取り、その情報に基づいて記録パワーの設定を行うことを特徴とする光学的情報記録再生方法である。
【００１４】
請求項２の光学的情報記録媒体に記録された推奨記録パワーを表すパラメータλｃ，Ｐｏ（λｃ），γp値は、光学的情報記録再生装置で読み取ることができるので、光学的情報記録再生装置のレーザ光源の波長が多少λｃの値と異なっていても、読み取った情報を基に正確な記録パワーの設定が可能になる。
【００１５】
（請求項４の発明）
請求項４の発明は、請求項２の光学的情報記録媒体より、推奨記録パワーを表すパラメータとして、少なくとも、λｃ，Ｐｏ（λｃ），γpの値を読み取り、その情報に基づいて記録パワーの設定を行うことを特徴とする光学的情報記録装置である。
【００１６】
請求項２の光学的情報記録媒体に記録された推奨記録パワーを表すパラメータλｃ，Ｐｏ（λｃ），γpの値は、光学的情報記録再生装置で読み取ることができるので、光学的情報記録再生装置のレーザ光源の波長が多少λｃの値と異なっていても、読み取った情報を基に正確な記録パワーの設定が可能であるので、このような構成の光学的記録再生装置の記録動作の信頼性を高くすることができる。
【００１７】
次に、本発明の実施例を説明する。
Ｐｏを推奨記録パワーとし、光学的情報記録装置の記録光波長λに対する依存性を考慮し、次式：
Ｐｏ（λ）＝Ｐｏ（λｃ）＊（λ／λｃ）＾γp
ここに、
Ｐｏ（λ）：波長λにおける推奨記録パワーで波長λに依存した値を表す
λ：記録ピックアップヘッド（ＰＵＨ）の記録レーザ光波長を表し、一例として６３０ｎｍないし６５５ｎｍの範囲で定義されるものする
λｃ：前記波長λの範囲の一つの光波長を表す
Ｐｏ（λｃ）：前記波長λｃにおける推奨記録パワー値を表す
＾：“＾”はべき乗演算を表す
γp：推奨記録パワーＰｏの波長依存性を表す
を適用すると、波長λの値が６３０ｎｍないし６５５ｎｍの狭い範囲であれば、γpの値は、次の式で近似できるので、Ｐｏとλの関係から両対数のグラフの傾きとして容易にγpの値を求めることができる。
γp＝ｄ｛ｌｏｇ（Ｐｏ）｝／ｄ｛ｌｏｇ（λ）｝
【００１８】
Ｐｏ(λ1）とＰｏ(λ2）が、λ1（６３０ｎｍ〜６４０ｎｍ）とλ2（６４５ｎｍ〜６５５ｎｍ）にそれぞれ対応して既知のとき、γpの値は、更に次の式で近似的に与えられるので、簡単な代数演算により容易に求めることができる。
γp＝［｛Ｐｏ(λ2）−Ｐｏ(λ1）｝／｛Ｐｏ(λ2）＋Ｐｏ(λ1）｝＊２］ ／｛（λ2−λ1）／（λ2＋λ1）＊２｝，
光学的情報記録媒体の光吸収率Ａｂｓ（λ1）とＡｂｓ（λ2）が、λ1（６３０ｎｍ〜６４０ｎｍ）とλ2（６４５ｎｍ−６５５ｎｍ）にそれぞれ対応して既知でかつ更にＰｏ（λ1）が１／Ａｂｓ（λ）に比例しているとみなせるとき、γpの値は、次の式で近似的に与えられるので、簡単な代数演算により容易に求めることができる。
γp＝［｛Ａｂｓ(λ1）−Ａｂｓ(λ2）｝／｛Ａｂｓ(λ1）＋Ａｂｓ(λ2）｝＊２］／｛（λ2−λ1）／（λ2＋λ1）＊２｝
【００１９】
表１及び図１は、波長依存性パラメータの値γpが０（波長依存性が全くないとき）から３０（波長依存性が大きいとき）の値を取ったときの推奨記録パワーＰｏの波長依存性の例を示す。ここで、Ｐｏの値は、波長６３５ｎｍのとき１０ｍＷに揃えている。
【００２０】
【表１】
0003753534.tif 000002
【００２１】
【発明の効果】
請求項１の発明は、光学的情報記録媒体における推奨記録パワーを表示する方法において、推奨記録パワーが次式：
Ｐｏ（λ）＝Ｐｏ（λｃ）＊（λ／λｃ）＾γp
ここに、
Ｐｏ（λ）：波長λにおける推奨記録パワーで波長λに依存した値を表す
λ：記録ピックアップヘッド（ＰＵＨ）の記録レーザ光波長を表し、５ｎｍないし５０ｎｍの所定の範囲で定義される
λｃ：前記波長λの範囲の一つの光波長を表す
Ｐｏ（λｃ）：前記波長λｃにおける推奨記録パワー値を表す
＾：“＾”はべき乗演算を表す
γp：推奨記録パワーＰｏの波長依存性を表す
によって求められるように、推奨記録パワーを表すパラメータとして、少なくとも、λｃ，Ｐｏ（λｃ），γpの値を備えていることを特徴とするもので、上記Ｐｏ(λ）の式から、明らかなように、波長依存性のパラメータを１つしか含んでおらず、λの値は、通常可視光であるから８３０ｎｍないし４００ｎｍの値であり、更に、Ｐｏ(λ）が定義される波長の範囲は、５ｎｍないし５０ｎｍであるため、極めて少ない数のパラメータで効率よく波長依存性を表すことができ、記録推奨値が波長依存性を持っていても、各波長毎にＰｏの値の表示しておく必要がなく、λｃ，Ｐｏ（λｃ），γpの３つの値でカバーできるので表示の効率がよい。
【００２２】
請求項２の発明は、光学的情報記録媒体において、次式によって推奨記録パワー：
Ｐｏ（λ）＝Ｐｏ（λｃ）＊（λ／λｃ）＾γp
ここに、
Ｐｏ（λ）：波長λにおける推奨記録パワーで波長λに依存した値を表す
λ：記録ピックアップヘッド（ＰＵＨ）の記録レーザ光波長を表し、５ｎｍないし５０ｎｍの所定の範囲で定義される
λｃ：前記波長λの範囲の一つの光波長を表す
Ｐｏ（λｃ）：前記波長λｃにおける推奨記録パワー値を表す
＾：“＾”はべき乗演算を表す
γp：推奨記録パワーＰｏの波長依存性を表す
が求められるように、推奨記録パワーを表すパラメータとして、少なくとも、λｃ，Ｐｏ（λｃ），γp値が光学的情報記録媒体の一部に記録されていることを特徴とするもので、波長依存性を含んだ推奨記録パワーを表すパラメータが効率的に光学的情報記録媒体に記録されているので、これらのパラメータを記録するために記録媒体の情報を余分に消費することなく、また、これらのパラメータは、光学的情報記録再生装置で読み取ることができるので、光学的情報記録再生装置のレーザ光源の波長が多少λｃの値と異なっていても、読み取った情報を基に正確な記録パワーの設定が可能になる。
【００２３】
請求項３の発明は、請求項２の光学的情報記録媒体より、推奨記録パワーを表すパラメータとして、少なくとも、λｃ，Ｐｏ（λｃ），γpの値を読み取り、その情報に基づいて記録パワーの設定を行うことを特徴とする光学的情報記録再生方法で、請求項２の光学的情報記録媒体に記録された推奨記録パワーを表すパラメータλｃ，Ｐｏ（λｃ），γp値は、光学的情報記録再生装置で読み取ることができるので、光学的情報記録再生装置のレーザ光源の波長が多少λｃの値と異なっていても、読み取った情報を基に正確な記録パワーの設定が可能になる。
【００２４】
請求項４の発明は、請求項２の光学的情報記録媒体より、推奨記録パワーを表すパラメータとして、少なくとも、λｃ，Ｐｏ（λｃ），γpの値を読み取り、その情報に基づいて記録パワーの設定を行うことを特徴とする光学的情報記録装置で、請求項２の光学的情報記録媒体に記録された推奨記録パワーを表すパラメータλｃ，Ｐｏ（λｃ），γpの値は、光学的情報記録再生装置で読み取ることができるので、光学的情報記録再生装置のレーザ光源の波長が多少λｃの値と異なっていても、読み取った情報を基に正確な記録パワーの設定が可能であるので、このような構成の光学的記録再生装置の記録動作の信頼性を高くすることができる。
請求項５、６、７、８の発明によると、Ｐｏ(λ1）とＰｏ(λ2）が、λ1（６３０ｎｍ〜６４０ｎｍ）とλ2（６４５ｎｍ〜６５５ｎｍ）にそれぞれ対応して既知のとき、γpの値は、更に、
γp＝［｛Ｐｏ(λ2）−Ｐｏ(λ1）｝／｛Ｐｏ(λ2）＋Ｐｏ(λ1）｝＊２］
／｛（λ2−λ1）／（λ2＋λ1）＊２｝，
で近似的に与えられるので、簡単な代数演算により容易に求めることができる。
請求項９、１０、１１、１２の発明によると、光学的情報記録媒体の光吸収率Ａｂｓ（λ1）とＡｂｓ（λ2）が、λ1（６３０ｎｍ〜６４０ｎｍ）とλ2（６４５ｎｍ〜６５５ｎｍ）にそれぞれ対応して既知でかつ更にＰｏ（λ1）が１／Ａｂｓ（λ）に比例しているとみなせるとき、γpの値は、
γp＝［｛Ａｂｓ(λ1）−Ａｂｓ(λ2）｝
／｛Ａｂｓ(λ1）＋Ａｂｓ(λ2）｝＊２］
／｛（λ2−λ1）／（λ2＋λ1）＊２｝
で近似的に与えられるので、簡単な代数演算により容易に求めることができる。
【図面の簡単な説明】
【図１】  波長依存性パラメータの値γpが０（波長依存性が全くないとき）から３０（波長依存性が大きいとき）の値を取ったときの推奨記録パワーＰｏの波長依存性の例を示すものである。
【図１】
0003753534.tif 000003